(57)【要約】【課題】連結された複数のルーバを、モータで連係して回動させる際、ルーバ間の回動角度範囲の差を解消、均一化できる空気調和機の室内機を提供すること。【解決手段】化粧パネル１００と、化粧パネル１００に形成された第１〜第４の吹出口１２１〜１２４にそれぞれ軸心線周りに回動自在に配設される第１〜第４ルーバ１５１〜１５４と、化粧パネル１００に設けられ、第１、第３ルーバ１５１、１５３間及び第２、第４ルーバ１５２、１５４間をそれぞれ連結する連結機構１５８と、化粧パネル１００に設けられ、第１、第２ルーバ１５１、１５２をその軸心線回りに回動駆動することで、これらルーバ１５１、１５２に連結された第３ルーバ１５３及び第４ルーバ１５４を連係して回動させるステッピングモータ１７０と、第１、第３ルーバ１５１、１５３の間及び第２、第４ルーバ１５２、１５４の間にそれぞれ設けられ、ルーバ１５１〜１５４の矢印Ｂ方向における回動角度範囲を規制する第２の回動規制部３０２とを具備した。【選択図】　　図８
2004101056.tif 000002
【特許請求の範囲】
【請求項１】
下面に開口部を有し、被空調室の天井裏に取り付け固定される室内機本体と、
この室内機本体の下面開口部を閉成し、被空調室に露出するよう取り付けられる化粧パネルと、
この化粧パネルのほぼ中央部に形成された吸込口と、
上記吸込口周辺部に形成された複数の吹出口と、
上記吹出口にそれぞれ軸心線周りに回動自在に配設される複数のルーバと、
上記化粧パネルに設けられ、隣接するルーバ間を連結する連結手段と、
上記化粧パネルに設けられ、１枚のルーバをその軸心線回りに回動駆動することで、連結された全てのルーバを連係して回動させるモータと、
連結された上記ルーバの間に設けられ、上記ルーバの少なくとも一方の回動方向における回動角度範囲を規制する回動規制部とを具備したことを特徴とする空気調和機の室内機。
【請求項２】
下面に開口部を有し、被空調室の天井裏に取り付け固定される室内機本体と、
この室内機本体の下面開口部を閉成し、被空調室に露出するよう取り付けられる矩形状の化粧パネルと、
この化粧パネルのほぼ中央部に形成された吸込口と、
上記吸込口周辺部に上記化粧パネルの各辺に沿って形成された４つの吹出口と、
上記各吹出口に軸心線回りに回動自在に配置される第１〜第４ルーバと、
上記化粧パネルの対向する２つの隅部に設けられ、隣接する第１ルーバと第３ルーバ、及び第２ルーバと第４ルーバの間をそれぞれ連結する２つの連結手段と、
上記第１ルーバ及び第２ルーバをその軸心線回りに回動させることで、第１、第２ルーバ、及び第３、第４ルーバをそれぞれ連係して回動させる２つのモータと、
上記化粧パネルの上記モータ近傍に設けられ、上記第１、第２ルーバが当接することで、第１〜第４ルーバの第１回動方向における回動角度範囲を規制する第１の回動規制部と、
上記第１ルーバと第３ルーバ、及び第２ルーバと第４ルーバとの間に設けられ、上記ルーバの第２回動方向における回動角度範囲を規制する第２の回動規制部とを具備することを特徴とする空気調和機の室内機。
【請求項３】
下面に開口部を有し、被空調室の天井裏に取り付け固定される室内機本体と、
この室内機本体の下面開口部を閉成し、被空調室に露出するよう取り付けられる矩形状の化粧パネルと、
この化粧パネルのほぼ中央部に形成された吸込口と、
上記吸込口周辺部に上記化粧パネルの各辺に沿って形成された４つの吹出口と、
上記各吹出口に軸心線周りに回動自在に配置される第１〜第４ルーバと、
上記化粧パネルの隅部に設けられ、隣接する第１ルーバと第２ルーバ、第２ルーバと第３ルーバ、及び第３ルーバと第４ルーバの間をそれぞれ連結する３つの連結手段と、
上記第１ルーバをその軸心線回りに回動駆動することで、第１〜第４ルーバを連係して回動させるモータと、
上記化粧パネルの上記モータ近傍に設けられ、上記第１ルーバが当接することで、第１〜第４ルーバの第１回動方向における回動角度範囲を規制する第１の回動規制部と、
上記第２ルーバと第３ルーバ、或いは第３ルーバと第４ルーバとの間に設けられ、上記第１〜第４ルーバの第２回動方向における回動角度範囲を規制する第２の回動規制部とを具備することを特徴とする空気調和機の室内機。
【請求項４】
上記第１の回動規制部は、上記化粧パネルに設けられ、上記ルーバが当接する第１の突出部であることを特徴とする請求項２又は３記載の空気調和気の室内機。
【請求項５】
上記第２の回動規制部は、
上記連結手段に突設された回動規制突起と、
上記化粧パネルに設けられ、上記回動規制突起が当接する第２の突出部とを有することを特徴とする請求項２又は３記載の空気調和機の室内機。
【請求項６】
上記モータはステッピングモータであることを特徴とする請求項１〜３記載の空気調和気の室内機。
【請求項７】
上記第１の回動規制部は、上記室内機の運転開始時に上記ルーバの回動角度を初期位置に位置決するために用いられることを特徴とする請求項２又は３記載の空気調和機の室内機。
【発明の詳細な説明】
【０００１】
【発明の属する技術分野】
本発明は、被空調室の天井に取り付けられる空気調和機の室内機に係り、特にルーバの回動角度範囲を規制する規制機構に関する。
【０００２】
【従来の技術】
空気調和機の室内機として、店舗等の広い空間を空調する場合には、壁面に取り付けられる、いわゆる壁掛け型ではなく、複数の方向に空調風を吹き出すことができ、かつ居住者が受ける圧迫感の少ない天井埋込み型とした室内機が多用される傾向にある。
【０００３】
この種の空気調和機では、矩形状の化粧パネルのほぼ中央部に室内空気を吸い込む吸込口が形成され、この吸込口の周辺部には、化粧パネルの各辺に沿ってそれぞれ空調風を吹き出す吹出口が形成されている。各吹出口には、それぞれ空調風の風向を変更する長板状のルーバがその軸心線回りに回動可能に配設されている。
【０００４】
これらルーバは、ユニバーサルジョイントやスリーブ等の連結部材により連結されており、１枚若しくは２枚のルーバをモータにより駆動することで、連結された残りのルーバを連動させる構成が主流となっている（例えば、特許文献１参照。）。
【０００５】
ルーバの回動角度範囲は機械的に制限されている。すなわち、初期位置として用いられるルーバの最小回動角は、化粧パネルのモータ近傍に設けられた位置決め用突起に各ルーバが当接することにより与えられる。一方、ルーバの最大回動角は、化粧パネルの吹出口縁部に各ルーバが当接することにより与えられる。すなわち、各ルーバは上述した最小回動角と最大回動角との間で回動するようになっている。
【０００６】
【特許文献１】
実公平３−３４５９４号公報
【０００７】
【発明が解決しようとする課題】
しかしながら、このような方法では、ルーバが吹出口内に完全に収容されて、吹出口縁部に当接しない構成とした場合に、ルーバの回動運動を規制できず、最大回動角を設定できないという問題がある。
【０００８】
そこで、このような構成を用いる場合、化粧パネルのモータ近傍に２つの位置決め用突起をルーバの回動方向に所定の角度だけずらして設け、これら位置決め用突起にルーバを当接させることで、回動角度範囲を２つの位置決め用突起内に制限するということが行われている。
【０００９】
しかしながら、ユニバーサルジョイントやスリーブ等の連結部材は、設計寸法誤差や余裕寸法を有し、さらに、ルーバ自体が捩れ方向の弾性を有しているため、モータ近傍で回動角度範囲を制限した場合、従動するルーバの回動角度範囲がモータに直接接続された駆動側のルーバの回動角度範囲より狭くなり、ルーバ間に回動角度範囲の差が生じるという問題がある。
【００１０】
本発明は、連結手段によって連結された複数のルーバを、１つのモータによって連係して回動させる際、ルーバ間に生じる回動角度範囲の差を解消することで、均一化できる空気調和機の室内機を提供することにある。
【００１１】
【課題を解決するための手段】
上記課題を解決し目的を達成するために、本発明の空気調和機の室内機は次のように構成されている。
【００１２】
（１）下面に開口部を有し、被空調室の天井裏に取り付け固定される室内機本体と、この室内機本体の下面開口部を閉成し、被空調室に露出するよう取り付けられる化粧パネルと、この化粧パネルのほぼ中央部に形成された吸込口と、上記吸込口周辺部に形成された複数の吹出口と、上記吹出口にそれぞれ軸心線周りに回動自在に配設される複数のルーバと、上記化粧パネルに設けられ、隣接するルーバ間を連結する連結手段と、上記化粧パネルに設けられ、１枚のルーバをその軸心線回りに回動駆動することで、連結された全てのルーバを連係して回動させるモータと、連結された上記ルーバの間に設けられ、上記ルーバの少なくとも一方の回動方向における回動角度範囲を規制する回動規制部とを具備したことを特徴とする。
【００１３】
（２）下面に開口部を有し、被空調室の天井裏に取り付け固定される室内機本体と、この室内機本体の下面開口部を閉成し、被空調室に露出するよう取り付けられる矩形状の化粧パネルと、この化粧パネルのほぼ中央部に形成された吸込口と、上記吸込口周辺部に上記化粧パネルの各辺に沿って形成された４つの吹出口と、上記各吹出口に軸心線回りに回動自在に配置される第１〜第４ルーバと、上記化粧パネルの対向する２つの隅部に設けられ、隣接する第１ルーバと第３ルーバ、及び第２ルーバと第４ルーバの間をそれぞれ連結する２つの連結手段と、上記第１ルーバ及び第２ルーバをその軸心線回りに回動させることで、第１、第２ルーバ、及び第３、第４ルーバをそれぞれ連係して回動させる２つのモータと、上記化粧パネルの上記モータ近傍に設けられ、上記第１、第２ルーバが当接することで、第１〜第４ルーバの第１回動方向における回動角度範囲を規制する第１の回動規制部と、上記第１ルーバと第３ルーバ、及び第２ルーバと第４ルーバとの間に設けられ、上記ルーバの第２回動方向における回動角度範囲を規制する第２の回動規制部とを具備することを特徴とする。
【００１４】
（３）下面に開口部を有し、被空調室の天井裏に取り付け固定される室内機本体と、この室内機本体の下面開口部を閉成し、被空調室に露出するよう取り付けられる矩形状の化粧パネルと、この化粧パネルのほぼ中央部に形成された吸込口と、上記吸込口周辺部に上記化粧パネルの各辺に沿って形成された４つの吹出口と、上記各吹出口に軸心線周りに回動自在に配置される第１〜第４ルーバと、
上記化粧パネルの隅部に設けられ、隣接する第１ルーバと第２ルーバ、第２ルーバと第３ルーバ、及び第３ルーバと第４ルーバの間をそれぞれ連結する３つの連結手段と、上記第１ルーバをその軸心線回りに回動駆動することで、第１〜第４ルーバを連係して回動させるモータと、上記化粧パネルの上記モータ近傍に設けられ、上記第１ルーバが当接することで、第１〜第４ルーバの第１回動方向における回動角度範囲を規制する第１の回動規制部と、上記第２ルーバと第３ルーバ、或いは第３ルーバと第４ルーバとの間に設けられ、上記第１〜第４ルーバの第２回動方向における回動角度範囲を規制する第２の回動規制部とを具備することを特徴とする。
【００１５】
（４）上記（２）又は（３）に記載された空気調和機の室内機であって、上記第１の回動規制部は、上記化粧パネルに設けられ、上記ルーバが当接する第１の突出部であることを特徴とする。
【００１６】
（５）上記（２）又は（３）に記載された空気調和機の室内機であって、上記第２の回動規制部は、上記連結手段に突設された回動規制突起と、上記化粧パネルに設けられ、上記回動規制突起が当接する第２の突出部とを有することを特徴とする。
【００１７】
（６）上記（１）〜（３）に記載された空気調和機の室内機であって、上記モータはステッピングモータであることを特徴とする。
【００１８】
（７）上記（２）又は（３）に記載された空気調和機の室内機であって、上記第１の回動規制部は、上記室内機の運転開始時に上記ルーバの回動角度を初期位置に位置決するために用いられることを特徴とする。
【００１９】
【発明の実施の形態】
以下、図面を参照しながら本発明の実施の形態について説明する。図１は本発明の第１の実施の形態に係る空気調和機の室内機１０を下面側から示す斜視図、図２は同室内機１０を室内機本体２０と化粧パネル１００とに分離して示す斜視図、図３は同室内機本体２０を分解して示す斜視図、図４は同室内機本体２０を示す縦断面図、図５は同化粧パネル１００を分解して示す斜視図、図６は同化粧パネルを示す縦断面図である。
【００２０】
図１に示すように、空気調和機の室内機１０は、被空調室の天井板に形成された取り付け用開口部に室内側から挿入されて吊りボルト等を介して、いわゆる天井裏に吊持固定される室内機本体２０と、この室内機本体２０の室内側に露出して取り付けられる化粧パネル１００とを備えている。
【００２１】
図２に示すように、室内機本体２０は、下面開口部２１ａ全てが開口し、上面部と側面部が板面からなるハウジング２１を備えている。このハウジング２１の内周面には断熱材２２が貼着され、断熱構造をなしている。
【００２２】
図３に示すように、ハウジング２１内部には、その中央部に送風機２３が配置され、送風機２３を囲むようにして平面視でＬ字状に形成された一対の熱交換器部２４ａ，２４ｂからなる室内熱交換器２４が収容されている。なお、平面視で四角枠状に形成された室内熱交換器を用いる場合もある。
【００２３】
ハウジング２１の下面開口部２１ａは、化粧パネル１００によって閉成されている。この化粧パネル１００は室内に露出し、ハウジング２１周面と天井板の取り付け用開口部との隙間を遮蔽する。
【００２４】
図４に示すように、送風機２３は、ハウジング２１の上面部に適宜な手段で取り付け固定されるファンモータ２３ａと、このファンモータ２３ａの回転軸に取り付けられるファン２３ｂとからなる。この送風機２３は、ファン２３ｂの回転に伴い回転軸方向から空気を吸い込んで周方向に吹出す送風作用をなす。
【００２５】
室内熱交換器２４を構成する熱交換器部２４ａ，２４ｂは、送風機２３の吹き出し方向に位置している。各熱交換器部２４ａ，２４ｂの下端部はハウジング２１下部に設けられる平面視で四角枠状のドレンパン２５内に挿入され、各熱交換器部２４ａ，２４ｂで生成されるドレン水を受けるようになっている。
【００２６】
図２と図４に示すように、化粧パネル１００の後述する吸込口１１０と送風機ファン２３ｂとの間にはベルマウス２６が設けられ、その周囲はドレンパン２５に囲まれている。ベルマウス２６は、送風機ファン２３ｂ側が小径で、かつ、吸込口１１０側が大径のテーパ状に形成されている。
【００２７】
図２に示すように、化粧パネル１００は、その中央大部分の面積を占める矩形状の吸込口１１０が開口されていて、この吸込口１１０はドレンパン２５の内側面とほぼ対向して設けられる。
【００２８】
化粧パネル１００の吸込口１１０には、吸込グリル１１１が着脱自在に取り付けられている。吸込グリル１１１は、吸込口１１０における室内空気の流通を可能としながら、吸込口１１０からハウジング２１内部に対する遮蔽をなしている。
【００２９】
さらに、吸込口１１０の周辺部には化粧パネル１００の各辺に沿って第１〜第４の吹出口１２１〜１２４が設けられている。すなわち、第１〜第４の吹出口１２１〜１２４は幅方向に対して長手方向が極端に細長い矩形状をなし、４ヶ所設けられることになる。
【００３０】
各吹出口１２１〜１２４は、ドレンパン２５の外側面とハウジング２１の側面部に取り付けられる断熱材２２との間の間隙に対向位置していて、それ自体が外方へ曲成される。
【００３１】
これら吹出口１２１〜１２４には、それぞれ同じ構成からなる第１〜第４ルーバ１５１〜１５４（図５に示す）が回動自在に配設され、室内熱交換器２４により熱交換された空気を化粧パネル１００周辺の広い範囲に吹き出し案内するようになっている。
【００３２】
図５に示すように、化粧パネル１００の第１隅部１０１には、同じ構成からなる２つのステッピングモータ１７０が配置されている。これらステッピングモータ１７０の駆動軸は、それぞれ第１、第２ルーバ１５１、１５２の軸心線方向の一端部に接続され、第１、第２ルーバ１５１、１５２を軸心線周りに回動駆動できるようになっている。
【００３３】
また、第１ルーバ１５１と第３ルーバ１５３、及び第２ルーバ１５２と第４ルーバ１５４は、化粧パネル１００の第２隅部１０２、及び第３隅部１０３にそれぞれ配置された連結機構１５８（連結手段）によって連結されている。
【００３４】
それによって、ステッピングモータ１７０を駆動すると、第１ルーバ１５１と第３ルーバ１５３、及び第２ルーバ１５２と第４ルーバ１５４は、それぞれ連係して駆動されるようになっている。
【００３５】
図９は同化粧パネル１００に組み込まれた連結機構１５８とルーバ１５１〜１５４の要部を拡大して示す斜視図である。同図に示すように、各連結機構１５８は、各ルーバ１５１〜１５４が接続される一対の接続部材１６０と、これら接続部材１６０の間を連結する連結部材１６１とを備えている。
【００３６】
接続部材１６０は、それぞれ化粧パネル１００の裏面１００ａ側に設けられたＵ字状支持部１５９ａ、１５９ｂ（図５参照）に回動可能に支持されており、連結部材１６１は軸心線方向ほぼ中央部に回動規制突起１６２を備えている。
【００３７】
連結部材１６１と接続部材１６０はそれぞれユニバーサルジョイント１６５によって接続されており、連結部材１６１は、第１、第２ルーバ１５１、１５２が図６中に矢印Ａ、及び矢印Ｂで示す方向に回動すると、これらルーバ１５１、１５２と連動して、それぞれ図８中に矢印Ｃ、及び矢印Ｄで示す方向に回動するようになっている。
【００３８】
図７は同化粧パネル１００のステッピングモータ１７０付近を拡大して示す断面図である。同図に示すように、化粧パネル１００の第１の吹出口１２１、及び第２の吹出口１２２内には、ステッピングモータ１７０の近傍に、それぞれ第１の突出部１６３（第１の回動規制部）が設けられている（第１の吹出口１２１側のみ図示）。
【００３９】
第１の突出部１６３は、それぞれ第１、第２ルーバ１５１、１５２側に突出しており、各ルーバ１５１、１５２が図６中矢印Ａ方向に回動すると、その幅方向の一端部側が上記第１の突出部１６３に当接し、ルーバ１５１、１５２の矢印Ａ方向（第１回動方向）への回動を第１規制位置で係止するようになっている。
【００４０】
図８は同化粧パネル１００の連結機構１５８付近を拡大して示す断面図である。同図に示すように、化粧パネル１００の第２、第３隅部１０２、１０３には、第２の突出部１６４が設けられ、上述した回動規制突起１６２とともにそれぞれ第２の回動規制部３０２を構成している（第２隅部１０２側のみ図示）。
【００４１】
第２の突出部１６４は、連結部材１６１側に突出しており、第１、第２ルーバ１５１、１５２の動作に連動して、連結部材１６１が図８中矢印Ｄ方向に回動すると、回動規制突起１６２がこの第２の突出部１６４に当接し、ルーバ１５１、１５２の図６中矢印Ｂ方向（第２回動方向）への回動を第２規制位置で係止するようになっている。
【００４２】
すなわち、第１ルーバ１５１及び第２ルーバ１５２の矢印Ａ方向及び矢印Ｂ方向における回動角度範囲は、それぞれ第１突出部１６３と第２の突出部１６４及び回動規制突起１６２とによって制限されている。
【００４３】
このように構成された空気調和機の室内機１０においては、送風機２３が駆動されることにより、室内側から被空調空気が吸引され、熱交換器２４において熱交換がなされた後、吹出口１２１〜１２４から室内側に吹き出される。
【００４４】
このとき、化粧パネル１００に設けられた２つのステッピングモータ１７０を駆動することで、全てのルーバ１５１〜１５４が同一方向に動作する。具体的には、第１ルーバ１５１が内側から外側へ向きを変える際に、他の第２〜第４ルーバ１５２〜１５４も内側から外側へ向きを変える。逆も同様である。
【００４５】
また、第１ルーバ１５１と第３ルーバ１５３、及び第２ルーバ１５２と第４ルーバ１５４は、連結機構１５８を介して連係動作が行われる。
【００４６】
次に、上記構成の空気調和機の室内機１０を使用する際のルーバの動作について、図１０に示すフローチャートを用いて説明する。なお、ここでは、第１、第２ルーバ１５１、１５２の動作についてのみ説明し、これらルーバ１５１、１５２に連動する第３、第４ルーバ１５３、１５４の動作については説明を省略する。
【００４７】
ステップ０において、第１ルーバ１５１、及び第２ルーバ１５２の回動角度の制御処理が開始されたならば、ステップ１において、空気調和機の電源が投入されるか否かを判断する。
【００４８】
このステップ１において、空気調和機の電源が投入されたと判断された場合、ステップ２において、各ステッピングモータ１７０に最大パルス（後述する）を入力し、運転停止位置に設定されている第１、第２ルーバ１５１、１５２を図６中矢印Ａ方向に回動させる。
【００４９】
なお、上記最大パルスは、第１、第２ルーバ１５１、１５２の回動角度範囲に対応した駆動パルス数以上に設定されている。そのため、この最大パルスを各ステッピングモータ１７０に入力すると、第１、第２ルーバ１５１、１５２は、その直前の回動角度によらず、第１の突出部１６３に当接するまで回動することになる。
【００５０】
そして、図７に示すように、第１、第２ルーバ１５１、１５２が第１の突出部１６３に当接したならば、その位置をルーバ１５１、１５２の初期位置として位置決めする。なお、第１、第２ルーバ１５１、１５２が第１の突出部１６３に当接した後に入力されるパルスは、ステッピングモータ１７０のすべりとなる。
【００５１】
ステップ２において、第１、第２ルーバ１５１、１５２が初期位置に設定されたならば、ステップ３において、空気調和機の運転状況に応じた数のパルスを随時ステッピングモータ１７０に入力し、第１、第２ルーバ１５１、１５２をその回動角度範囲内で回動させる。
【００５２】
そして、第１、第２ルーバ１５１、１５２が所定の角度に設定されたならば、ステップ４において、ルーバ１５１、１５２の回動角度の制御処理を終了する。
【００５３】
一方、ステップ１において、空気調和機の電源が投入されたと判断されない場合、ステップ５において、空気調和機が運転中か否かを判断する。
【００５４】
このステップ５において、空気調和機が既に運転中であると判断された場合、ステップ３において、運転状況に応じた数のパルスを随時ステッピングモータ１７０に入力し、第１、第２ルーバ１５１、１５２をその回動角度範囲内で回動させる。そして、第１、第２ルーバ１５１、１５２が所定の角度に設定されたならば、ステップ４において、ルーバ１５１、１５２の回動角度の制御処理を終了する。
【００５５】
一方、ステップ５において、空気調和機の運転が停止していると判断された場合、ステップ６において、ステッピングモータ１７０へのパルス入力が停止される。そして、パルス入力停止時における第１、第２ルーバ１５１、１５２の回動角度を維持したまま、ステップ４において、回動角度の制御処理を終了する。
【００５６】
ところで、ルーバ１５１〜１５４が、運転中に手動により矢印Ｂ方向に回動されていると、第１、第２ルーバ１５１、１５２が矢印Ｂ方向に回動する際に、回動規制突起１６２が第２の突出部１６４に当接し、ルーバ１５１〜１５４の矢印Ｂ方向への回動が第２規制位置で規制されることがある。
【００５７】
ルーバ１５１〜１５４の矢印Ｂ方向への回動が規制されると、その後に継続的に入力される矢印Ｂ方向のパルスは、ステッピングモータ１７０のすべりとなる。そのため、第２規制位置での回動規制の後は、ルーバ１５１〜１５４は、この第２規制位置よりも矢印Ａ方向における角度範囲内で回動される。
【００５８】
また、第１ルーバ１５１と第３ルーバ、及び第２ルーバ１５２と第４ルーバ１５４は、それぞれ第２の規制位置における回動規制によって、ほぼ同じ回動角度にそろえられる。それによって、ルーバ１５１〜１５４は、その後の運転中もほぼ同じ回動角度でそろって動くことになる。
【００５９】
上記構成の空気調和機の室内機１０によれば、連結機構１５８の連結部材１６１にそれぞれ回動規制突起１６２を設けるとともに、化粧パネル１００の第２、第３隅部１０２、１０３にそれぞれ第２の突出部１６４を設け、回動規制突起１６２を第２の突出部１６４に当接させることで、各ルーバ１５１〜１５４の矢印Ｂ方向への回動を係止するようにした。
【００６０】
すなわち、第１、第３ルーバ１５１、１５３、及び第２、第４ルーバ１５２、１５４のほぼ中間部分で各ルーバ１５１〜１５４の矢印Ｂ方向における回動角度範囲を規制するようにした。
【００６１】
そのため、各ルーバ１５１〜１５４が捩れたり、連結機構１５８が余裕寸法を有していても、第１、第３ルーバ１５１、１５３、及び第２、第４ルーバ１５２、１５４間に生じる回動角度範囲の差を抑制、均一化することができる。
【００６２】
また、化粧パネル１００のステッピングモータ１７０近傍に、それぞれ第１の突出部１６３を設け、第１、第２ルーバ１５１、１５２の幅方向一端部側を上記第１の突出部１６３に当接させることで、各ルーバ１５１〜１５４の矢印Ａ方向への回動を係止するようにした。
【００６３】
すなわち、各ルーバ１５１〜１５４の矢印Ａ方向における回動角度範囲を第１ルーバ１５１のステッピングモータ１７０近傍で規制するようにした。
【００６４】
そのため、各ルーバ１５１〜１５４の初期位置を正確に位置決めすることができ、さらに、運転開始のたびに加わるモータ駆動トルクによって第１、第２ルーバ１５１、１５２が破損するのを防止できる。
【００６５】
図１１は、本発明の第２の実施の形態に係る化粧パネル１００を分解して示す斜視図である。なお、ここでは、上記第１の実施の形態と異なる構成についてのみ説明し、同じ構成については、同一の符号を付してその説明を省略する。
【００６６】
図１１に示すように、本実施の形態では、第１〜第４のルーバ１５１〜１５４は、化粧パネル１００の第２〜第４隅部１０２〜１０４にそれぞれ配置された連結機構１５８（１５８Ａ〜１５８Ｃ）（連結手段）によって連結され、第１ルーバ１５１には化粧パネル１００の第１隅部１０１に配置されたステッピングモータ１７０（モータ）の駆動軸が接続されている。
【００６７】
それによって、ステッピングモータ１７０を駆動することで、第１〜第４ルーバ１５１〜１５４を連係して回動できるようになっている。
【００６８】
化粧パネル１００の第１の吹出口１２１内には、ステッピングモータ１７０近傍位置して第１の突出部１６３（図７にのみ図示）（第１の回動規制部）が設けられている。この第１の突出部１６３は第１ルーバ１５１側に突出しており、第１ルーバ１５１がステッピングモータ１７０によって回動されると、その幅方向一端部側が第１の突出部１６３に当接し、第１ルーバ１５１の矢印Ａ方向への回動を係止するようになっている。
【００６９】
また、化粧パネル１００の第４隅部１０４には第２の突出部１６４が設けられ、第２ルーバ１５２と第３ルーバ１５３を連結する連結機構１５８Ｂの連結部材１６１に設けられた回動規制突起１６２とともに第２の回動規制部３０２を構成している（図８にのみ図示）。
【００７０】
それによって、第２ルーバ１５２の動作に連動して、連結機構１５８Ｂを構成する連結部材１６１が回動すると、この連結部材１６１に設けられた回動規制突起１６２が第２の突出部１６４に当接し、第１ルーバ１５１の矢印Ｂ方向への回動を係止するようになっている。
【００７１】
このような構成の空気調和機の室内機１０によれば、連結機構１５８Ｂの連結部材１６１に回動規制突起１６２を設けるとともに、化粧パネル１００の第４隅部１０４に第２の突出部１６４を設け、回動規制突起１６２を第２の突出部１６４に当接させることで、各ルーバ１５１〜１５４の矢印Ｂ方向への回動を係止するようにした。
【００７２】
すなわち、第１〜第４ルーバ１５１〜１５４のほぼ中間部分で各ルーバ１５１〜１５４の矢印Ｂ方向における回動角度範囲を規制するようにした。
【００７３】
そのため、各ルーバ１５１〜１５４が捩れたり、これらルーバ１５１〜１５４間を連結する連結機構１５８Ａ〜１５８Ｃが余裕寸法を有していても、第１、第２ルーバ１５１、１５２と第３、第４ルーバ１５３、１５４間に生じる回動角度範囲の差を抑制、均一化することができる。
【００７４】
また、化粧パネル１００のステッピングモータ１７０近傍に第１の突出部１６３を設け、第１ルーバ１５１の幅方向一端部側を第１の突出部１６３に当接させることで、各ルーバ１５１〜１５４の矢印Ａ方向への回動を係止するようにした。
【００７５】
すなわち、各ルーバ１５１〜１５４の矢印Ａ方向における回動角度範囲を第１ルーバ１５１のステッピングモータ１７０近傍で規制するようにした。
【００７６】
そのため、各ルーバ１５１〜１５４の初期位置を正確に位置決めすることができ、さらに、運転開始のたびに加わるモータ駆動トルクによって第１ルーバ１５１が破損するのを防止できる。
【００７７】
なお、本発明は上記実施の形態に限定されるものでない。例えば、上述した第２の実施の形態では、第２の回動規制部３０２を第２ルーバ１５２と第３ルーバ１５３の連結部に設けたが、第３ルーバ１５３と第４ルーバ１５４の連結部に設けてもよい。この場合も上記実施の形態とほぼ同じ効果が得られることはいうまでもない。また、発明の要旨を逸脱しない範囲で種々に変形可能であるのは勿論である。
【００７８】
【発明の効果】
本発明によれば、連結手段で連結された複数のルーバを１つのモータによって連係して回動させる際、ルーバ間に生じる回動角度範囲の差を解消、均一化することができる。
【図面の簡単な説明】
【図１】本発明の第１の実施の形態に係る空気調和機の室内機を下面側から示す斜視図。
【図２】同室内機を室内機本体と化粧パネルとに分離して示す斜視図。
【図３】同室内機本体を分解して示す斜視図。
【図４】同室内機本体を示す縦断面図。
【図５】同化粧パネルを分解して示す斜視図。
【図６】同化粧パネルを示す縦断面図。
【図７】同化粧パネルのステッピングモータ付近を拡大して示す断面図。
【図８】同化粧パネルの連結機構付近を拡大して示す断面図。
【図９】同化粧パネルに組み込まれた連結機構とルーバの要部を拡大して示す斜視図。
【図１０】同ステッピングモータにより駆動されるルーバの回動角度を制御するためのサブルーチンを示すフローチャート。
【図１１】本発明の第２の実施の形態に係る化粧パネルを分解して示す斜視図。
【符号の説明】
１０…室内機
２０…室内機本体
２１ａ…下面開口部（開口部）
１００…化粧パネル
１０１〜１０４…第１〜第４隅部
１１０…吸込口
１２１〜１２４…吹出口
１５１〜１５４…第１〜第４ルーバ
１５８、１５８Ａ〜１５８Ｃ…連結機構（連結手段）
１６２…回動規制突起
１６３…第１の突出部（第１の回動規制部）
１６４…第２の突出部
１７０…ステッピングモータ（モータ）
３０２…第２の回動規制部
【図１】
2004101056.tif 000003
【図２】
2004101056.tif 000004
【図３】
2004101056.tif 000005
【図４】
2004101056.tif 000006
【図５】
2004101056.tif 000007
【図６】
2004101056.tif 000008
【図７】
2004101056.tif 000009
【図８】
2004101056.tif 000010
【図９】
2004101056.tif 000011
【図１０】
2004101056.tif 000012
【図１１】
2004101056.tif 000013